(57)【要約】      （修正有）【課題】画像形成装置に着脱されるプロセスカートリッジにおいて、露光開口を開閉する遮光板と、塵埃など異物侵入を遮蔽する遮蔽部材とを兼用できる簡素な構造を実現して、部品点数の半減化によってコストを低減させる。【解決手段】カートリッジ枠体３０ａに露光開口２７が設けられている。この露光開口２７を塞ぐようにして可撓性シート形状の遮光遮蔽シート１００が取り付けられている。遮光遮蔽シート１００は、カートリッジ枠体３０ａを画像形成装置本体に着脱させる動作に伴い、装着状態では屈曲させた切り込み部１００ｃで露光開口２７とクリーニングユニット１４（プロセス手段）１４との間を遮蔽し、露光開口２７は開放する。カートリッジ枠体３０ａが画像形成装置本体から取り外されている未装着状態では、遮光遮蔽シート１００は露光開口２７を遮蔽してそこから周囲の自然光や照明光がカートリッジ枠体３０ａ内に侵入するのを防止している。【選択図】図６
2008292790.tif 000002
【特許請求の範囲】
【請求項１】
露光光を発する露光手段を有する画像形成装置本体に着脱されるプロセスカートリッジであって、
電子写真感光体と、
前記電子写真感光体と、前記電子写真感光体に作用するプロセス手段とを支持するカートリッジ枠体と、
前記カートリッジ枠体に設けられた、前記電子写真感光体に前記露光光を導く露光開口と、
前記画像形成装置本体に前記カートリッジを装着する際に、前記画像形成装置本体に当接することによって移動する、前記カートリッジ枠体の外面に一端が固定されかつ他端が自由端となっているシート形状の遮光遮蔽部材であって、前記画像形成装置本体から前記カートリッジを取り外した際は前記露光開口を塞ぎ、前記画像形成装置本体に前記カートリッジを装着した際は、前記露光開口を開放する遮光部と、前記画像形成装置本体に前記カートリッジを装着した際は、前記電子写真感光体と前記プロセス手段との間に侵入する遮蔽部と、を有する遮光遮蔽部材と、
を有することを特徴とするプロセスカートリッジ。
【請求項２】
前記遮蔽部は、前記遮光遮蔽部材に切り込み部を設けることによって形成され、前記プロセスカートリッジを前記画像形成装置本体に装着する装着する際に、前記カートリッジ枠体に押圧されて屈曲することを特徴とする請求項１に記載のプロセスカートリッジ。
【請求項３】
前記画像形成装置本体に前記カートリッジを装着した際に、前記遮蔽部が屈曲することによって形成された開口部を、前記露光光が通過することを特徴とする請求項２に記載のプロセスカートリッジ。
【請求項４】
前記遮光遮蔽部材は、前記露光手段と当接することによって移動することを特徴とする請求項１乃至３の何れかに記載のプロセスカートリッジ。
【発明の詳細な説明】
【技術分野】
【０００１】
本発明は、電子写真方式を用いた電子写真画像形成装置（以下、単に「画像形成装置」という）に関し、この画像形成装置に着脱されるプロセスカートリッジに関するものである。
【０００２】
電子写真画像形成装置とは、電子写真画像形成プロセスを用いて記録媒体である転写材などのシートに画像を形成するものである。それには電子写真複写機、レーザープリンタやＬＥＤプリンタなどの電子写真プリンタ、ファクミリ装置、ワードプロセッサ、そして多機能複合機などが含まれる。また、プロセスカートリッジとは、たとえばドラム形状の像担持体である電子写真感光体（以下、単に「感光体ドラム」という）を有し、この感光体ドラムに作用するプロセス手段として少なくとも現像手段を一体的にカートリッジ化したものをいう。
【背景技術】
【０００３】
画像形成装置では、そうしたプロセスカートリッジをユーザが簡易に着脱できるようにしたプロセスカートリッジ方式が主流となってきている。このプロセスカートリッジ方式によれば、装置のメンテナンスをサービスマンに頼らずともユーザ自身で行うことができるので格段に操作性を向上させることができる。そのため、画像形成装置での使用がますます高まってきており、代表例として本出願人によって提案されたものがある（たとえば、特許文献１参照）。
【０００４】
かかるプロセスカートリッジの場合、原稿の画像情報を読み取った露光光を導光して感光体ドラムに照射するための露光開口が、カートリッジ枠体の感光体ドラムに近い位置に設けられている。プロセスカートリッジを画像形成装置から取り出して机上などに放置したままにしておくと、周囲の自然光や照明光が露光開口からカートリッジ枠体内に入り、感光体ドラムに光メモリが発生したり、また塵埃などの異物が侵入したりすることがある。それを防ぐために、露光開口を必要に応じて開閉ドアで開閉する構造のものが既に実用に供されている。
【０００５】
それについて、図９〜図１２を参照してプロセスカートリッジ例を概略的に説明する。
【０００６】
図９および図１０に示すプロセスカートリッジ３０の場合、カートリッジ枠体３０ａの上部に設けた露光開口２７を遮光板２８で開閉するようにしている。その遮光板２８のクリーニングユニット１４に臨む側にはＬ字形状に曲げた制止部としての凸部２８ａが設けられている。図１１と図１２は、画像形成装置に装填されているプロセスカートリッジ３０が使用できる作動状態のときの遮光板２８を示す。この状態からプロセスカートリッジ３０を画像形成装置から取り出す場合、取り出し後に遮光板２８を図１１中の矢印ａで示す方向に回転させて露光開口２７を塞ぐ。すなわち、図９と図１０に示すように、露光開口２７を塞いで自然光や照明光をカートリッジ枠体３０内に侵入しないように遮光するとともに、塵埃などの異物が侵入を阻止する。また、露光開口２７に設けた上記凸部２８ａはクリーニングユニット１４に臨んでＬ字形状に曲げ起こしてあり、その状態でカートリッジ３０を画像形成装置に装填しようとすると、凸部２８ａが結像素子アレイ（図１参照：符号２）に当接する。すなわち、プロセスカートリッジ３０の装填ができないようにして、ユーザに対して遮光板２８で露光開口２７が塞がれていることを認識させる。逆に、図１１と図１２の状態でプロセスカートリッジ３０を画像形成装置に装填しようとすれば、凸部２８ａが結像素子アレイに当接しないので装填を可能とする。
【０００７】
一方、図１０および図１２に示すように、クリーニングユニット１４と露光開口２７との間を仕切って遮蔽する遮蔽部材１０１が設けられている。この遮蔽部材１０１はシート状のＰＥＴやＰＥをＬ字形に曲げ加工したものであり、両面テープなどの接着手段でもってカートリッジ枠体３０ａの内面に貼り着けて固定されている。
【０００８】
遮蔽部材１０１は次のように機能する。クリーニングユニット１４のゴムブレード６６で感光体ドラム３のドラム表面に残留して付着しているトナーを掻き落す。微視的にみた場合、画像に影響を及ぼさない程度の極微量のトナーはゴムブレード６６を擦り抜けて感光体ドラム３のドラム表面上に残っている。画像形成装置の稼動中はそうした僅かなトナーが浮遊していることが本発明者らの研究と実験によって経験的に分かっている。結像素子アレイが露光開口２７から十分な距離を有して配置されている場合は特に問題はない。画像形成装置を極力小型化するために、図示例の複写機では結像素子アレイなどを近接させて配置している。そうした機種の画像形成装置では、機体を長期間使用していると、浮遊トナーが露光開口２７を通り抜けて結像素子アレイに付着し、遮光して画像不良を引き起こす場合がある。それを解消するために、クリーニングユニット１４と開口部２７との間を遮蔽部材１０１で仕切って遮断するようにしているのである。
【０００９】
【特許文献１】特公平３−５６４７２号公報
【発明の開示】
【発明が解決しようとする課題】
【００１０】
ところで、この図９〜図１２で示したプロセスカートリッジ３０の場合、画像形成装置に挿入して装填するに備えて遮光板２８を図１１と図１２に示す状態に開き、露光開口２７を開放しておく必要がある。また、カートリッジ装填後は再びその遮光板２８を閉じなければならず、ユーザに煩わしい幾通りもの操作を強いることになる。また、プロセスカートリッジ３０を画像形成装置から取り出した後、遮光板２８を図９と図１０に示す状態に閉じて元通りに戻しておかなければならない。仮に、その戻し作業をユーザが忘れたり怠ったりすると、前述のように感光体ドラム３に光メモリが発生し、塵埃などの異物が侵入する不具合がある。それを防ぐために、プロセスカートリッジ３０を着脱する際の動作に連動させて開閉する遮蔽部材１０１を設けているため、部品点数や組立工数が増加し、かなりのコスト高となっている。
【００１１】
本発明の目的は、露光開口を開閉する遮光板と、塵埃など異物侵入を遮蔽する遮蔽部材とを兼用できる簡素な構造を実現して、部品点数の半減化による大幅なコスト低減が可能なプロセスカートリッジと、これを装備する画像形成装置を提供することにある。
【課題を解決するための手段】
【００１２】
上記目的を達成するために本発明の代表的なプロセスカートリッジは、露光光を発する露光手段を有する画像形成装置本体に着脱されるプロセスカートリッジであって、
電子写真感光体と、
前記電子写真感光体と、前記電子写真感光体に作用するプロセス手段とを支持するカートリッジ枠体と、
前記カートリッジ枠体に設けられた、前記電子写真感光体に前記露光光を導く露光開口と、
前記画像形成装置本体に前記カートリッジを装着する際に、前記画像形成装置本体に当接することによって移動する、前記カートリッジ枠体の外面に一端が固定されかつ他端が自由端となっているシート形状の遮光遮蔽部材であって、前記画像形成装置本体から前記カートリッジを取り外した際は前記露光開口を塞ぎ、前記画像形成装置本体に前記カートリッジを装着した際は、前記露光開口を開放する遮光部と、前記画像形成装置本体に前記カートリッジを装着した際は、前記電子写真感光体と前記プロセス手段との間に侵入する遮蔽部と、を有する遮光遮蔽部材と、
を有することを特徴とするものである。
【発明の効果】
【００１３】
本発明のプロセスカートリッジによれば、カートリッジ枠体に設けたシート形状の遮光遮蔽部材によって露光開口を開閉する機能と、その露光開口とプロセス手段との間から異物などが侵入するのを遮断する遮蔽機能とを兼用させている。そのため、部品点数が半減し、極めて簡単な構成で大幅なコスト低減が可能とする。
【発明を実施するための最良の形態】
【００１４】
以下、本発明に係るプロセスカートリッジと画像形成装置のそれぞれ好適な実施形態について図面を参照して詳細に説明する。なお、図９〜図１２で例示したプロセスカートリッジの各部材や各機器と同一もしくは同種のものには同一符号を付して重複する部分の説明は省き、本実施形態の要部となる部分には新規符号を付して図９〜図１２の構造との違いを明確にしつつ説明する。
【００１５】
図１は、本実施形態の画像形成装置の具体例として電子写真画像形成プロセスを用いた複写機を示す。図２は、その画像形成装置本体（以下、「装置本体」という）を開放してプロセスカートリッジが着脱操作できるようにした状態を示している。装置本体は上部枠体１７と下部枠体１８の２つの大きな部分からなっている。図２の開放状態とは、ヒンジシャフト１９で回動可能に連結されたそれら上下部枠体１７，１８が離反する方向に開いた状態をいう。上部枠体１７には結像素子アレイ（露光手段）２とプロセスカートリッジ３０などが装着されている。下部枠体１８には給送ローラ６と、転写帯電器８と、分離手段１３と、ガイド９と、そして定着器１０などがシート搬送路に沿って配置して装備されている。
【００１６】
また、上部枠体１７には、透明質の材料で形成された原稿載置台１が図１中矢印で示す左右水平方向に往復動可能となっている。結像素子アレイ２はその原稿載置台１上に載置された原稿の画像情報を読み取り、その画像の露光光をプロセスカートリッジ３０の内部に装着されている感光体ドラム（電子写真感光体）３上にスリット露光方式で露光光を照射する。また、原稿を露光するための照明系１５を有し、熱線吸収フイルタなどのフイルタ１６を有している。
【００１７】
ここで、図３以下の各図を参照して本実施形態のプロセスカートリッジ３０の構造を説明する。カートリッジ枠体を構成するカートリッジ枠体３０ａの内部には、感光体ドラム３が支持され、この感光体ドラム３の周囲に沿ってプロセス手段である現像器ユニット５、クリーニングユニット１４、そして帯電ローラ４などを一体的に配置して構成されている。カートリッジ枠体３０ａは遮光材で成形されている。感光体ドラム３は図１中矢印で示す時計回り方向に回転する。帯電ローラ４は感光体ドラム３のドラム表面に帯電バイアス電圧を印加して一様に帯電を施す。また、現像器ユニット５は、その一様に帯電された感光体ドラム３のドラム表面に結像素子アレイ２から読取画像の露光光を照射させることによって露光し、形成された静電潜像を現像剤（トナー）を用いて現像して可視化する。かかる画像形成プロセスにおいて、感光体ドラム３上に残った未転写の残トナーはクリーニングユニット１４に回収される。
【００１８】
一方、図１および図２において、記録媒体となる転写材などのシートＰは給送ローラ６とレジストローラ７によってプロセスカートリッジ側の感光体ドラム３に向けて搬送され、転写用の帯電器８によって感光体ドラム３上のトナー像の転写を受ける。その後、シートＰは分離手段１３によって感光体ドラム３から分離され、ガイド９上を通って搬送路端部に位置する搬送ローラ９ａによって定着器１０に送られる。定着器１０ではシートＰ上のトナー像を加熱しかつ加圧して永久定着し、定着を終えたシートＰは排出ローラ１１によって排紙トレイ１２へと排出される。
【００１９】
感光体ドラム３を新旧交換する際、プロセスカートリッジ３０の内部の各機器やユニットを同時に交換できるようにして保守作業の簡易化と軽減化が図られている。装置本体へのプロセスカートリッジ３０の着脱はこの場合上部枠体１７に対して行われる。図１および図２に示すように、その上部枠体１７には平行一対のレール３１，３２が設けられており、そのレール上にカートリッジ枠体３０ａを係合させて載せ、感光体ドラム３のドラム回転軸線の方向に移動させることで着脱が行われる。カートリッジ着脱時は、図２の状態に上下枠体１７，１８を分離させ、レール３１，３２上でカートリッジ枠体３０ａを押し込みまたは引き出す方向に移動させる。
【００２０】
これから分かるように、本実施形態にあっては、上部枠体１７が下部枠体１８に対してヒンジシャフト１９から回動することで分離結合ができるようになっているので、上部枠体１７としては本体開閉カバーを兼用していることになる。
【００２１】
一方、図３に示すように、結像素子アレイ２に対向する部分のカートリッジ枠体３０ａには、原稿を読み取った画像情報の露光光を感光体ドラム３のドラム表面に導光するための露光開口２７が貫通して設けられている。この露光開口２７は感光体ドラム３のドラム周面と近接した位置に設けてある。そのため、プロセスカートリッジ３０を上部枠体１７から取り出して机上などに放置したままにしておくと、周囲の自然光や照明光が原因で感光体ドラム３に光メモリが発生し、また塵埃などの異物が侵入したりすることがある。
【００２２】
すなわち、露光開口２７を開閉し、その露光開口２７とクリーニングユニット１４との間を仕切って遮断する図４に示す可撓性シート形状の遮光遮蔽シート（遮光遮蔽部材）１００が設けたことが本実施形態の要旨である。この遮光遮蔽シート１００は、図９〜図１２で示した従来の遮光板２８と遮蔽部材１０１の両機能を兼用する部材である。
【００２３】
図４において、極めて簡素で低コストの平板状の遮光遮蔽シート１００でもって、プロセスカートリッジが画像形成装置本体から取り外されている未装着状態では、カートリッジ枠体３０ａに設けた露光開口２７を遮光部１００ｅで塞いでいる。また、装着状態では、露光開口２７を開放するとともに、露光開口２７とクリーニングユニット１４との間を遮蔽部１００ｃで仕切って遮断している。この遮光遮蔽シート１００は、遮光性を有するＰＥＴまたはＰＥなどの樹脂製であり、可撓性に優れたフィルム状のものを用いている。その遮光遮蔽シート１００の一部に切断線で三方から囲まれたコ字形の切り込み部１００ｃが施され、その切り込み部１００ｃによって内部の遮蔽部１００ｂと外部１００ａとに領域を区分している。また、遮光遮蔽シート１００の長手方向の一端には両面テープなどによる接着部１００ｄが設けられている。図示のように、遮光遮蔽シート１００の裏側にも両面テープを貼り着けて接着部１００ｄとしている。そして、接着部１００ｄと遮蔽部１００ｂとの間に、露光光を遮蔽するための遮光部１００ｅが設けられている。
【００２４】
かかる遮光遮蔽シート１００は、図３とこの上部からみた要部拡大図の図５に示すように、カートリッジ枠体３０ａの上記露光開口２７に臨む部分の外面に貼着されている。すなわち、遮光遮蔽シート１００の両面テープで形成した接着部１００ｄを現像器ユニット５に臨む側のカートリッジ枠体３０ａの上面に貼り着けて固定し、遮光遮蔽シート１００の他端側は自由端にしてある。また、クリーニングユニット１４に臨む側のカートリッジ枠体３０ａの上部に感光体ドラム３０のドラム長さ寸法とほぼ同じ長さでスリット４５がカートリッジ枠体３０ａの一部に形成されている。図６とこの上部からみた拡大図の図７に示すように、遮光遮蔽シート１００の遮蔽部１００ｂの先端がそのスリット４５に差し込まれている。プロセスカートリッジ３０が上部枠体１７に挿入して装填された装着状態では、結像素子アレイ２がカートリッジ枠体３０ａに設けた凹部に侵入し、その底部に開口した露光開口２７に近接して臨む。その挿入動作に伴い、結像素子アレイ２で図６のように遮光遮蔽シート１００を上方から押圧し、可撓性を利用してカートリッジ枠体側凹部に押し込むようにして凹ませる。
【００２５】
図７を参照し、遮光遮蔽シート１００の中央部が撓んで露光開口２７に近づき、遮光遮蔽シート１００の自由端が矢印方向に引っ張られて露光開口２７に向かってスライドして移動する。その移動で遮光遮蔽シート１００の遮蔽部１００ｂがカートリッジ枠体３０ａのスリット４５に入り込んで曲がり、さらに奥方へと侵入して露光開口２７とクリーニングユニット１４と間を仕切って遮断する。遮光遮蔽シート１００の遮蔽部１００ｂがスリット４５に侵入していくことで、遮光遮蔽シート１００の切れ込み部１００ｃの切断線が拡開し、露光開口２７の上をスライドして結像素子アレイ２からの露光光が通過する開口部になる。この変形による遮光遮蔽シート１００を図８に示す。すなわち、遮光遮蔽シート１００は結像素子アレイ２によって下方に撓められ、図７に示す自由な他端側が矢印方向にスライドして、切れ込み部１００ｃの遮蔽部１００ｂがスリット４５に入り込んで下方に向かって侵入していく。同時に、遮蔽部１００ｂが下方に侵入したことで、切断線が拡開しつつコ字形の切れ込み部１００ｃが大きく屈曲して露光開口２７の上部にスライドしてくる。
【００２６】
なお、画像形成時の稼動中はトナーが浮遊している。プロセスカートリッジ３０を装置本体である上部枠体１７から取り出した状態では露光開口２７とクリーニングユニット１４との間を仕切って遮断する必要はない。また、図４に示す状態において、遮光遮蔽シート１００の切れ込み１００ｃにおけるコ字形の外部１００ａが露光開口２７を有するカートリッジ枠体３０ａの凹部を完全に覆っている。その切れ込み１００ｃの幅寸法、つまり感光体ドラム３０のドラム回転軸線の方向は結像素子アレイ２の長さ寸法よりもやや短く、かつ結像素子アレイ２の光が通過する幅よりも若干長くしている。したがって、プロセスカートリッジ３０を装置本体である上部枠体１７から取り出すと、遮光遮蔽シート１００のその弾性復元力で平坦な形状に復元し、露光開口２７を遮光することができる。
【００２７】
また、本実施形態の場合、図６において、結像素子アレイ２が遮光遮蔽シート１００に当接している状態で、プロセスカートリッジ３０を上部枠体１７に挿入し装填した下部枠体１８との閉状態、つまり図１に示す状態について説明した。それは説明の便宜のために過ぎない。上部枠体１７と下部枠体１８とを分離して開放した状態、つまり図２に示す状態で上部枠体１７側にプロセスカートリッジ３０を装着した時点で結像素子アレイ２が遮光遮蔽シート１００に当接している。換言すれば、プロセスカートリッジ３０を装置本体から完全に取り出した状態にせずとも、上部枠体１７を開いた装置本体の開放状態で、結像素子アレイ２が遮光遮蔽シート１００に当接している。
【００２８】
また、プロセスカートリッジ３０のカートリッジ枠体３０ａと遮光遮蔽シート１００として使用する材料や材質には、光をほぼ完全に遮断するノリル樹脂、ポリカーボネート樹脂、ＡＢＳ樹脂、金属、そしてゴムなどの不透明物質を用いることができる。さらに、遮光遮蔽シート１００としては感光体ドラム３に対する遮光だけでなく、ユーザの手が感光体ドラム３に触れるのを防止したり、異物が露光開口２７から侵入したりするのを防ぐ保護カバーとしても役立つものである。
【００２９】
以上、この第１実施形態によれば、可撓性フィルム状の遮光遮蔽シート１００を設けるだけの極めて簡素な構成でもって大幅なコストダウンを実現することができる。すなわち、１枚の遮光遮蔽シート１００をプロセスカートリッジ３０の着脱動作に連動させ、露光開口２７を開閉させる機能と、その露光開口２７とクリーニングユニット１４との間の仕切りによる遮断機能とを兼用させる。そのため、従来と比べて部品点数をほぼ半減することができる。
【００３０】
（第２実施形態）
次に、本発明による第２実施形態について説明する。
【００３１】
第１実施形態においては、プロセスカートリッジ３０を装置本体から完全に取り出した状態にせずとも、プロセスカートリッジ３０の着脱動作に伴って開閉する上下部枠体１７，１８を開き、結像素子アレイ２が遮光遮蔽シート１００に当接している形態を示した。プロセスカートリッジ３０を上部枠体１７側に装填後、上部枠体１７と下部枠体１８とを閉じて装置本体を稼動可能な状態にする操作に連動させる。それにより、結像素子アレイ２をカートリッジ枠体３０ａの上部の一部に設けた凹部に侵入させ、その凹部に遮光遮蔽シート１００に当接させて押し込むように構成することも可能である。
【００３２】
以上、本発明の画像形成装置について数例の実施形態が説明されたが、それらに限定されるものではなく、本発明の主旨を逸脱しない範囲内でその他の実施形態、応用例、変形例およびそれらの組み合わせも可能である。
【００３３】
たとえば、上記各実施形態では結像素子アレイ２を感光体ドラム３に近接させた画像形成装置例として複写機を示した。そうした複写機に限らず、ＬＥＤプリンタやレーザビームプリンタなどにも適用可能である。ＬＥＤプリンタの場合、感光体ドラム３に近接するのはＬＥＤであり、レーザビームプリンタの場合はレーザ光を反射させるミラーや屈折させるレンズなどである。また、遮光遮蔽シート１００がクリーニングユニット１４と露光開口２７の間を仕切って遮断する構造を要旨として説明した。浮遊トナーは現像器ユニットからも発生することがあるので、現像器ユニット５とその露光開口２７との間を遮蔽するようにした構造に対しても本発明を適用することができる。
【図面の簡単な説明】
【００３４】
【図１】本発明にかかる実施形態の画像形成装置の具体例である複写機を示す図。
【図２】同複写機において上部枠体と下部枠体を分離して開放した状態を示す図。
【図３】第１実施形態のプロセスカートリッジを装置本体である上部枠体から取り出した状態を示す断面図。
【図４】第１実施形態の要旨部材として遮光遮蔽シートを示す図。
【図５】図４の状態の遮光遮蔽シートを上から見て示す図。
【図６】遮光遮蔽シートにおいて露光開口の開閉機能とクリーニングユニットとの間の遮断機能を兼用する状態を示す図。
【図７】図６の状態の遮光遮蔽シートを上から見て示す図。
【図８】遮光遮蔽シートのみ単体で示す図。
【図９】従来のプロセスカートリッジの外観を示す斜視図。
【図１０】同従来例のプロセスカートリッジにおいて露光開口を閉じた状態を示す断面図。
【図１１】同従来例のプロセスカートリッジの外観を示す斜視図。
【図１２】同従来例のプロセスカートリッジにおいて露光開口を開いた状態を示す断面
【符号の説明】
【００３５】
１        原稿載置台
２        結像素子アレイ（露光手段）
３        感光体ドラム（電子写真感光体）
４        帯電ローラ
５        現像器ユニット
１４      クリーニングユニット（プロセス手段）
２７      露光開口
２８      遮光板
３０      プロセスカートリッジ
３０ａ    カートリッジ枠体
８４      現像スリーブ
１００    遮光遮蔽シート（遮光遮蔽部材）
１００ａ  切断線の外側の外部
１００ｂ  遮蔽部
１００ｃ  切り込み部
１００ｅ  遮光部
ｔ        トナー（現像剤）
【図１】
2008292790.tif 000003
【図２】
2008292790.tif 000004
【図３】
2008292790.tif 000005
【図４】
2008292790.tif 000006
【図５】
2008292790.tif 000007
【図６】
2008292790.tif 000008
【図７】
2008292790.tif 000009
【図８】
2008292790.tif 000010
【図９】
2008292790.tif 000011
【図１０】
2008292790.tif 000012
【図１１】
2008292790.tif 000013
【図１２】
2008292790.tif 000014